(57)【要約】      （修正有）【課題】複数のユーザが複数種類の生体情報取得装置を使用して、異なる種類の生体情報を取得する環境下で、取得されたユーザの生体情報に基づいて、より高精度にユーザ認識を行うことができるユーザ認証システムを提供する。【解決手段】ユーザ認証システムは、或るユーザについて異なる種類の生体情報を取得する複数種類の生体情報取得装置と、生体情報取得装置のそれぞれによって取得された各生体情報を或るユーザに関連付けて記憶する記憶部と、複数の生体情報取得装置のうちの或る生体情報取得装置において新規に取得された新生体情報と、或る生体情報取得装置以外の他の生体情報取得装置で取得された他の生体情報との間での論理的な矛盾の有無をみることにより、或る生体情報取得装置での新生体情報が或るユーザに関するものであるか否かを判定するユーザ判定部と、を備える。【選択図】図６
2015108942.tif 000002
【特許請求の範囲】
【請求項１】
或るユーザについて異なる種類の生体情報を取得する複数種類の生体情報取得装置と、
前記生体情報取得装置のそれぞれによって取得された各生体情報を前記或るユーザに関連付けて記憶する記憶部と、
前記複数種類の生体情報取得装置のうちの或る生体情報取得装置において新規に取得された新生体情報と、前記或る生体情報取得装置以外の他の生体情報取得装置で取得された他の生体情報との間での論理的な矛盾の有無をみることにより、前記或る生体情報取得装置での前記新生体情報が前記或るユーザに関するものであるか否かを判定するユーザ判定部と、を備える、ユーザ認証システム。
【請求項２】
或るユーザについて異なった生体情報を取得する少なくとも１つの生体情報取得装置と、
前記少なくとも１つの生体情報取得装置によって取得された生体情報を前記或るユーザに関連付けて記憶する記憶部と、
前記或るユーザに関する位置情報を取得する位置情報取得装置と、
前記少なくとも１つの生体情報取得装置のうちの或る生体情報取得装置において新規に取得された新生体情報と、前記位置情報取得装置で取得された前記位置情報との間での論理的な矛盾の有無をみることにより、前記或る生体情報取得装置での前記新生体情報が前記或るユーザに関するものであるか否かを判定するユーザ判定部と、を備える、ユーザ認証システム。
【請求項３】
請求項１又は２に記載のユーザ認証システムにおいて、
前記記憶部が、前記生体情報取得装置のそれぞれに設けられている、及び／又は、前記生体情報取得装置から独立して設けられている、ユーザ認証システム。
【請求項４】
請求項１又は２に記載のユーザ認証システムにおいて、
前記ユーザ判定部によって、前記或る生体情報取得装置での前記新生体情報が前記或るユーザに関するものではないと判定された場合、前記新生体情報が前記或るユーザに関するものでないという属性情報が前記新生体情報に付加される、ユーザ認証システム。
【請求項５】
請求項１又は２に記載のユーザ認証システムにおいて、
前記新生体情報と前記或るユーザの情報と前記判定結果に関する情報とを告知する情報告知部をさらに備えて、
前記ユーザ判定部によって、前記或る生体情報取得装置での前記新生体情報が前記或るユーザに関するものではないと判定された場合、当該判定結果に関するメッセージを前記情報告知部によって告知する、ユーザ認証システム。
【請求項６】
請求項１又は２に記載のユーザ認証システムにおいて、
前記新生体情報と前記或るユーザの情報と前記判定結果に関する情報とを告知する情報告知部をさらに備えて、
前記ユーザ判定部によって、前記或る生体情報取得装置での前記新生体情報が前記或るユーザに関するものではないと判定された場合、当該判定結果に対する前記或るユーザの取り扱い方針を確認するメッセージを前記情報告知部によって告知する、ユーザ認証システム。
【請求項７】
請求項１又は２に記載のユーザ認証システムにおいて、
前記ユーザ判定部によって、前記或る生体情報取得装置での前記新生体情報が前記或るユーザに関するものではないと判定された場合、前記新生体情報は、前記記憶部への記憶処理だけ行われて、他の処理には供されない、ユーザ認証システム。
【発明の詳細な説明】
【技術分野】
【０００１】
この発明は、或るユーザについての新生体情報を登録する際に、当該新生体情報がそのユーザに関するものであるか否かを認証するユーザ認証システムに関する。
【背景技術】
【０００２】
或るユーザに関して、複数種類の生体情報取得装置（例えば、血圧計や活動量計や体組成計等）を使用して、異なる種類の生体情報（例えば、血圧や活動量や体組成等）を順次に取得し、取得された生体情報を、そのユーザを特定するユーザ情報と関連付けた上で情報管理システムに順次に取り込んで、必要に応じて、取り込まれた生体情報を呼び出して、そのユーザの健康管理や医療診断のために活用することが行われている。使用される複数の生体情報取得装置には、各生体情報取得装置を特定するための固有の装置識別番号が割り当てられており、装置識別番号の情報が前記生体情報に付加されている。それにより、取り込まれた生体情報に関して、その生体情報を取得するのに使用された生体情報取得装置を特定する情報については、誤った情報が取り込まれる余地が非常に少ない。
【０００３】
しかしながら、ある生体情報取得装置を複数のユーザで共同使用することがある。例えば、家庭内で、血圧計を夫婦又は親子で共同で使用する場合である。複数のユーザについては、各ユーザを特定するために固有のユーザ識別番号が割り当てられているが、生体情報取得装置の使用に際して、ユーザ識別番号が生体情報取得装置に誤って入力されることがある。すなわち、或るユーザ本人（例えば、父親）ではない別のユーザ（例えば、息子）に関する生体情報が、情報管理システムに取り込まれることが起こりうる。したがって、取り込まれた生体情報に関して、その生体情報をもたらしたユーザを特定するユーザ情報については、誤った情報が取り込まれる余地がある。そこで、例えば、特許文献１及び２は、生体情報についての新規の測定値と過去の測定値とを比較して、個人の認証を行うことを開示している。
【先行技術文献】
【特許文献】
【０００４】
【特許文献１】特開平１１−７６１７７号公報
【特許文献２】特開２０１１−２５４９５４号公報
【発明の概要】
【発明が解決しようとする課題】
【０００５】
特許文献１の健康管理支援装置は、体重や体脂肪率のような生体情報の新規の測定値を中心とする所定の数値範囲内に属する過去の生体情報を有する個人を或る個人として認識することを開示する。特許文献１は、新規の測定値に類似した過去の生体情報を有する個人が複数人該当する場合、いずれの個人がその個人本人であるかを特定することが困難であるため、個人認証の精度が良くないという問題を有する。
【０００６】
また、特許文献２の運動量計測システムは、指紋や掌紋等による生体認証を行った上で、足踏み運動中の荷重の測定値から推定した使用者の体重と左右の足に加わる荷重比とを基にして、すでに記憶されている認証者の体重と左右の足の比とを比較して、認証者と同一人か否かを判断することを開示する。特許文献２では、生体認証用の情報源としては、指紋、掌紋、手指の静脈、虹彩、網膜、声紋、顔形等であり、測定対象である荷重及び運動量を利用するものでは無い。また、特許文献２は、生体認証で登録された個人の認証データと一致した場合であっても、測定された体重から、記録されている最近の体重データを比較して矛盾の有無を判断し、通常ではありえないほどの体重の差違が認められたときには、参考データとして記録することを開示する。しかしながら、特許文献２における矛盾の有無の判断は、同じ生体情報取得装置から取得された新規の生体情報と過去の生体情報とに基づくものであり、或る生体情報取得装置での情報と別の生体情報取得装置での情報とを絡めて矛盾の有無の判断を行うものでも無い。
【０００７】
そこで、この発明の課題は、複数のユーザが複数種類の生体情報取得装置を使用して、異なる種類の生体情報を取得する環境下で、取得されたユーザの生体情報に基づいて、より高精度にユーザ認識を行うことができるユーザ認証システムを提供することである。
【課題を解決するための手段】
【０００８】
上記課題を解決するため、この発明のユーザ認証システムは、
或るユーザについて異なる種類の生体情報を取得する複数種類の生体情報取得装置と、
前記生体情報取得装置のそれぞれによって取得された各生体情報を前記或るユーザに関連付けて記憶する記憶部と、
前記複数種類の生体情報取得装置のうちの或る生体情報取得装置において新規に取得された新生体情報と、前記或る生体情報取得装置以外の他の生体情報取得装置で取得された他の生体情報との間での論理的な矛盾の有無をみることにより、前記或る生体情報取得装置での前記新生体情報が前記或るユーザに関するものであるか否かを判定するユーザ判定部と、を備えることを特徴とする。
【０００９】
本明細書における「論理的な矛盾」とは、時間的・空間（位置）的にみて、複数の新生体情報や位置情報の取得が、実質的に不可能であり、現実には起こりえないことを意味している。
【００１０】
また、本明細書における「異なる種類の生体情報」とは、血圧、活動量、体重、体組成等を指している。
【００１１】
この発明のユーザ認証システムでは、或る生体情報取得装置において新規に取得された新生体情報と他の生体情報取得装置で取得された他の生体情報との間での論理的な矛盾の有無をみて、両者の間で論理的な矛盾が有れば、新生体情報が或るユーザに関するもので無いとユーザ判定部によって判定される。したがって、或る生体情報取得装置において新生体情報と過去の生体情報と比較してユーザ認識を行う場合よりも、より高精度にユーザ認識を行うことができる。
【００１２】
別の局面では、この発明のユーザ認証システムは、
或るユーザについて異なった生体情報を取得する少なくとも１つの生体情報取得装置と、
前記少なくとも１つの生体情報取得装置によって取得された生体情報を前記或るユーザに関連付けて記憶する記憶部と、
前記或るユーザに関する位置情報を取得する位置情報取得装置と、
前記少なくとも１つの生体情報取得装置のうちの或る生体情報取得装置において新規に取得された新生体情報と、前記位置情報取得装置で取得された前記位置情報との間での論理的な矛盾の有無をみることにより、前記或る生体情報取得装置での前記新生体情報が前記或るユーザに関するものであるか否かを判定するユーザ判定部と、を備えることを特徴とする。
【００１３】
この発明のユーザ認証システムでは、新生体情報と位置情報との間での論理的な矛盾の有無をみることにより、或る生体情報取得装置において新生体情報と過去の生体情報との間だけを比較してユーザ認識を行う場合よりも、より高精度にユーザ認識を行うことができる。
【００１４】
この一実施形態のユーザ認証システムは、前記記憶部が、前記生体情報取得装置のそれぞれに設けられている、及び／又は、前記生体情報取得装置から独立して設けられていることを特徴とする。
【００１５】
この一実施形態のユーザ認証システムでは、フレキシブルなシステム構成にすることができる。
【００１６】
この一実施形態のユーザ認証システムは、前記ユーザ判定部によって、前記或る生体情報取得装置での前記新生体情報が前記或るユーザに関するものではないと判定された場合、前記新生体情報が前記或るユーザに関するものでないという属性情報が前記新生体情報に付加されることを特徴とする。
【００１７】
この一実施形態のユーザ認証システムでは、新生体情報が或るユーザに関するものでない可能性のある新生体情報を、正しい他の生体情報と容易に識別できる。
【００１８】
この一実施形態のユーザ認証システムは、前記新生体情報と前記或るユーザの情報と前記判定結果に関する情報とを告知する情報告知部をさらに備えて、前記ユーザ判定部によって、前記或る生体情報取得装置での前記新生体情報が前記或るユーザに関するものではないと判定された場合、当該判定結果に関するメッセージを前記情報告知部によって告知することを特徴とする。
【００１９】
この一実施形態のユーザ認証システムでは、新生体情報が或るユーザに関するものでない可能性のあることをユーザに注意喚起することができる。
【００２０】
この一実施形態のユーザ認証システムは、前記新生体情報と前記或るユーザの情報と前記判定結果に関する情報とを告知する情報告知部をさらに備えて、前記ユーザ判定部によって、前記或る生体情報取得装置での前記新生体情報が前記或るユーザに関するものではないと判定された場合、当該判定結果に対する前記或るユーザの取り扱い方針を確認するメッセージを前記情報告知部によって告知することを特徴とする。
【００２１】
この一実施形態のユーザ認証システムでは、新生体情報が或るユーザに関するものでないという判定結果に対してユーザの意思を確認することができる。
【００２２】
この一実施形態のユーザ認証システムは、前記ユーザ判定部によって、前記或る生体情報取得装置での前記新生体情報が前記或るユーザに関するものではないと判定された場合、前記新生体情報は、前記記憶部への記憶処理だけ行われて、他の処理には供されないことを特徴とする。
【００２３】
この一実施形態のユーザ認証システムでは、新生体情報をバックアップとして記憶するだけで、それ以外の無駄な処理を行わなくてよい。
【発明の効果】
【００２４】
以上より明らかなように、この発明のユーザ認証システムによれば、或る生体情報取得装置において取得された新生体情報が、他の生体情報や位置情報との関係で、論理的な矛盾を有するならば、当該新生体情報が或るユーザに関するもので無いとユーザ判定部によって判定されるので、より高精度にユーザ認識を行うことができる。
【図面の簡単な説明】
【００２５】
【図１】この発明の一実施形態に係るユーザ認証システムの構成を示す機能ブロック図である。
【図２】ユーザ認証システムで使用される血圧計の機能ブロック図である。
【図３】ユーザ認証システムで使用される体組成計の機能ブロック図である。
【図４】ユーザ認証システムで使用される活動量計の機能ブロック図である。
【図５】ユーザ認証システムで使用される睡眠計の機能ブロック図である。
【図６】ユーザ認証システムにおける概略的な動作フローを示す図である。
【図７】第１実施例に係るユーザ認証システムの動作フローを示す図である。
【図８】第１実施例における表示例である。
【図９】第２実施例に係るユーザ認証システムの動作フローを示す図である。
【図１０】第２実施例における表示例である。
【図１１】他の実施形態に係るユーザ認証システムの構成を示す機能ブロック図である。
【図１２】第３実施例に係るユーザ認証システムの動作フローを示す図である。
【発明を実施するための形態】
【００２６】
以下、この発明の実施の形態を、図面を参照しながら詳細に説明する。
【００２７】
図１は、生体情報取得装置を使用することによって生体情報が取得される人（以下、ユーザという。）を認証するこの発明のユーザ認証システム１を、ネットワーク２上で使用されたときの構成例を示している。ユーザ認証システム１は、生体情報取得装置として働く血圧計１０、体組成計２０、活動量計３０及び睡眠計４０と、サーバ５と、ネットワーク２と、を含んでいる。血圧計１０等の生体情報取得装置が、ネットワーク２を介して、それぞれ、サーバ５に対して、有線又は無線によって互いに通信可能に構成されている。ネットワーク２は、開かれたネットワーク（すなわち、インターネット）や、特定の組織内で使用されるネットワーク（すなわち、イントラネット）であり、サーバ５へのアクセスは、ユーザ登録番号及びパスワードの入力要求によって制限され、サーバ５のセキュリティが確保されている。
【００２８】
サーバ５は、制御部６と、ユーザ判定部７と、記憶部８と、操作部９ａと、表示部９ｂと、通信部９ｃと、を含む。制御部６は、ＣＰＵ（Central Processing Unit）およびその補助回路を含み、サーバ５の各部を制御し、記憶部８に記憶されたプログラムおよびデータに従って所定の処理を実行し、操作部９ａおよび通信部９ｃから入力されたデータを処理し、処理されたデータを、記憶部８に記憶させたり、表示部９ｂで表示させたり、通信部９ｃから出力させたりする。
【００２９】
サーバ５の記憶部８は、制御部６がプログラムを実行するために必要な作業領域として用いられるＲＡＭ（Random Access Memory）と、制御部６が実行するための基本的なプログラムを記憶するためのＲＯＭ（Read Only Memory）とを含む。この記憶部８には、個人認証の判定を行うためのプログラムがインストールされている。また、記憶部８には、測定された新規の生体情報に対して、測定日時の情報と装置識別番号とユーザ識別番号とを付加してそれらと関連付けたデータが、データベースとして記憶されている。さらに、記憶部８には、登録されたユーザと当該ユーザの使用する装置とを関連付けたユーザ登録情報のデータベースが記憶されている。なお、記憶部８の記憶領域を補助するための補助記憶装置の記憶媒体として、磁気ディスク（ＨＤ（Hard Disk）、ＦＤ（Flexible Disk））、光ディスク（ＣＤ（Compact Disc）、ＤＶＤ（Digital Versatile Disk）、ＢＤ（Blu-ray Disc））、光磁気ディスク（ＭＯ（Magneto-Optical disk））、または、半導体メモリ（メモリカード、ＳＳＤ（Solid State Drive））などが用いられてもよい。記憶部８がサーバ５の構成要素として示されているが、記憶部８は、サーバ５から独立した別の構成にすることもできる。記憶部８の機能は、例えば、後述する血圧計１０等の各生体情報取得装置での各記憶部や外部の情報処理端末での記憶部が兼ねることもできる。
【００３０】
サーバ５のユーザ判定部７は、或る生体情報取得装置（例えば、血圧計１０）での新生体情報（例えば、血圧値）と或る生体情報取得装置以外の生体情報取得装置（例えば、睡眠計４０）での他の生体情報（例えば、就床時刻や起床時刻等の睡眠状態）との間での論理的な矛盾の有無をみることにより、或る生体情報取得装置（例えば、血圧計１０）での新生体情報（例えば、血圧値）が或るユーザに関するものであるか否かを判定する。図１において、ユーザ判定部７が制御部６の一部として構成されているが、ユーザ判定部７は、制御部６から独立した別体の構成にすることもできる。
【００３１】
図２に示すように、血圧計１０は、制御部１１と、計時部１２と、電源１３と、操作部１４と、情報告知部１５と、記憶部１６と、通信部１７と、血圧測定部１８と、を含む。すなわち、血圧計１０は、生体情報として血圧値や脈拍数を測定する。
【００３２】
制御部１１は、ＣＰＵ（Central Processing Unit；中央演算処理装置）およびその補助回路を含み、血圧計１０の各部を制御し、記憶部１６に記憶されたプログラムおよびデータに従って各種の処理を実行する。すなわち、制御部１１は、操作部１４および通信部１７から入力されたデータを処理し、処理されたデータを、記憶部１６に記憶させたり、情報告知部１５によって告知したり、通信部１７から出力させたりする。
【００３３】
制御部１１は、ＣＰＵがプログラムを実行することにより、或るユーザの血圧値（最高血圧（収縮期血圧)と最低血圧（拡張期血圧））や脈拍数が血圧測定部１８で測定されるように制御する。制御部１１は、測定された血圧値や脈拍数の情報に対して、後述する、計時部１２による測定日時の情報と、装置識別番号の情報と、ユーザ識別番号の情報とを付加してそれらと関連付けることによって、或るユーザについての或る測定日時における血圧値や脈拍数に関するデータにまとめる。制御部１１は、測定された血圧値や脈拍数、測定日時、又はユーザ名等が情報告知部１５で告知されるように制御する。制御部１１は、或るユーザについての或る測定日時における血圧値や脈拍数に関するデータが、記憶部１６に時系列に記憶されるように制御する。
【００３４】
計時部１２は、血圧測定部１８によって血圧値や脈拍数の測定の行われた日時を計測して、測定日時の情報を取得する。例えば、計時部２２は、制御部１１に内蔵されたクロックを用いることもできる。
【００３５】
記憶部１６は、制御部１１がプログラムを実行するために必要な作業領域として用いられるＲＡＭ（Random Access Memory）と、制御部１１が実行するための基本的なプログラムを記憶するためのＲＯＭ（Read Only Memory）と、を含む。また、記憶部１６の記憶領域を補助するための補助記憶装置の記憶媒体として、半導体メモリ（メモリカード、ＳＳＤ（Solid State Drive））等を用いることができる。測定された血圧値や脈拍数のデータは、時系列にユーザ別（ユーザ識別番号別）に制御部１１によって記憶部１６に格納される。また、記憶部１６は、各ユーザの固有情報（性別、年齢、身長）も格納することができる。血圧計１０は、例えば複数のユーザについてのデータ及び固有情報を登録することができ、操作部１４でユーザ登録番号を指定することによりユーザを選択することができる。
【００３６】
操作部１４は、例えばスイッチやタッチパネルで構成され、ユーザによって操作された内容に応じた操作信号を制御部１１に入力する。
【００３７】
情報告知部１５は、表示デバイス（例えば、ＬＣＤ（Liquid Crystal Display）またはＥＬ（Electroluminescence）ディスプレイ等）や、発声器（例えば、スピーカ）である。情報告知部１５は、制御部１１によって制御されて、例えば、取得されたデータや注意喚起のメッセージや再測定を促すメッセージを、表示デバイスの画面に表示したり、発声器から発声したりすることによって、取得されたデータが或るユーザのものではない可能性について或るユーザに告知することができる。
【００３８】
血圧測定部１８は、例えばカフとポンプと弁と圧力センサとを備え、ユーザの測定部位に予めカフを巻き付けておき、ポンプ及び弁を制御して、カフ内の圧力（カフ圧）を最高血圧より高く加圧し、その後徐々に減圧していき、圧力センサで最高血圧（収縮期血圧）と最低血圧（拡張期血圧）と脈拍数とを測定するように構成されている。
【００３９】
通信部１７は、図示しない外部の情報処理端末との間で通信を行なうためのものである。通信部１７は、たとえば外部の情報処理端末と有線接続を行なうためのＵＳＢ（Universal Serial Bus）や外部の情報処理端末との間で無線通信を行なうためのＮＦＣ（Near Field Communication）としてのＦｅｌｉＣａ（登録商標）やＢｌｕｅｔｏｏｔｈ（登録商標）等の通信インターフェイスにて構成される。
【００４０】
血圧計１０の通信部１７を介して、血圧計１０に接続される外部の情報処理端末は、例えば、ＰＣ（Personal Computer）、スマートフォン、タブレットあるいはＰＤＡ（Personal Digital Assistant）等である。なお、外部の情報処理端末は、少なくとも、制御部と、電源と、操作部と、情報告知部と、記憶部と、通信部と、を備えることができる。なお、血圧計１０自身が外部との通信機能を備えるように構成されている場合には、ネットワーク２を介して、血圧計１０は外部のサーバー５に対して直に通信を行なうことができる。
【００４１】
図３に示すように、体組成計２０は、制御部２１と、計時部２２と、電源２３と、操作部２４と、情報告知部２５と、記憶部２６と、通信部２７と、体重測定部２８と、身体インピーダンス測定部２９と、を含む。すなわち、体組成計２０は、生体情報として体重値及び体組成を測定する。
【００４２】
体重測定部２８は、例えば、歪ゲージで検出される抵抗値の変化を検知することによって、ユーザの体重を測定する荷重センサである。身体インピーダンス測定部２９は、ユーザの身体インピーダンス値を測定するための電流印加用電極（図示しない）から生体に電流を印加し、電圧検知用電極（図示しない）で電圧を検知することにより、ユーザの身体インピーダンス値を測定する。
【００４３】
制御部２１によって、測定された体重値及び身体インピーダンス値と、測定したユーザに固有のユーザ情報（年齢や身長や性別等）とに基づいて、体組成が演算され、演算された体組成は、身体を組成する成分（身体を構成する組織）の割合もしくは量を表わし、例えば、体脂肪率、筋肉率、除脂肪量、体脂肪量、筋肉量、骨量、水分量である。
【００４４】
制御部２１は、測定された体重値及び体組成の情報に対して、計時部２２によって取得された測定日時の情報と、装置識別番号の情報と、ユーザ識別番号の情報とを付加してそれらと関連付けることにより、或るユーザについての或る測定日時における体重値及び体組成に関するデータにまとめる。制御部２１は、測定された体重値及び体組成、測定日時、又はユーザ名等が情報告知部２５で告知されるように制御する。制御部２１は、或るユーザについての或る測定日時における体重値及び体組成に関するデータが、記憶部２６に時系列に記憶されるように制御する。
【００４５】
なお、体組成計２０における制御部２１、計時部２２、電源２３、操作部２４、情報告知部２５、記憶部２６及び通信部２７についての各機能は、血圧計１０における制御部１１、計時部１２、電源１３、操作部１４、情報告知部１５、記憶部１６及び通信部１７の機能とそれぞれ実質的には同じであるため、詳細な説明を省略する。
【００４６】
図４に示すように、活動量計３０は、制御部３１と、計時部３２と、電源３３と、操作部３４と、情報告知部３５と、記憶部３６と、通信部３７と、体動測定部３８と、を含む。すなわち、活動量計３０は、例えば歩行、家事、デスクワークあるいはジョギングといった様々な活動シーンでのユーザの体動を体動測定部３８で検出してユーザの歩数や活動量を測定するものであり、生体情報として歩数や活動量を測定する。なお、活動量計３０は、ユーザの歩数だけを測定する歩数計に特化することもできる。
【００４７】
体動測定部３８は、歩行や日常生活活動等によって生じる体動の少なくとも１軸の加速度を検出することのできる加速度センサによって構成され、ユーザの体動に関する情報量をより多く取得することのできる３軸の加速度センサが好ましい。体動測定部３８からは加速度信号が得られる。なお、体動測定部３８は、気圧センサをさらに備えることにより、階段の上り歩行状態を判別して、そのときの歩数や活動量をより正確に求めることができる。
【００４８】
制御部３１は、測定された歩数や活動量の情報に対して、計時部３２によって取得された測定日時の情報と、装置識別番号の情報と、ユーザ識別番号の情報とを付加してそれらと関連付けることにより、或るユーザについての或る測定日時における歩数や活動量に関するデータにまとめる。制御部３１は、測定された歩数や活動量、測定日時、又はユーザ名等が情報告知部３５で告知されるように制御する。制御部３１は、或るユーザについての或る測定日時における歩数や活動量に関するデータが、記憶部３６に時系列に記憶されるように制御する。
【００４９】
なお、活動量計３０における制御部３１、計時部３２、電源３３、操作部３４、情報告知部３５、記憶部３６及び通信部３７についての各機能は、血圧計１０における制御部１１、計時部１２、電源１３、操作部１４、情報告知部１５、記憶部１６及び通信部１７の機能とそれぞれ実質的には同じであるため、詳細な説明を省略する。
【００５０】
図５に示すように、睡眠計４０は、制御部４１と、計時部４２と、電源４３と、操作部４４と、情報告知部４５と、記憶部４６と、通信部４７と、体動測定部４８と、を含む。すなわち、睡眠計４０は、就寝中のユーザが動くことによって生じる寝具の動きを体動測定部４８で検出して、就寝時刻から起床時刻までの睡眠時間及び睡眠の深浅等の睡眠状態を生体情報として測定する。
【００５１】
体動測定部４８は、就寝中のユーザが動くことによって生じる寝具の動きの少なくとも１軸の加速度を検出することのできる加速度センサによって構成され、ユーザの体動に関する情報量をより多く取得することのできる３軸の加速度センサが好ましい。体動測定部４８からは加速度信号が得られる。
【００５２】
制御部４１は、測定された睡眠状態の情報に対して、計時部４２によって取得された測定日時の情報と、装置識別番号の情報と、ユーザ識別番号の情報とを付加してそれらと関連付けることにより、或るユーザについての或る測定日時における睡眠状態に関するデータにまとめる。制御部４１は、測定された睡眠状態、測定日時、又はユーザ名等が情報告知部４５で告知されるように制御する。制御部４１は、或るユーザについての或る測定日時における睡眠状態に関するデータが、記憶部４６に時系列に記憶されるように制御する。
【００５３】
なお、睡眠計４０における制御部４１、計時部４２、電源４３、操作部４４、情報告知部４５、記憶部４６及び通信部４７についての各機能は、血圧計１０における制御部１１、計時部１２、電源１３、操作部１４、情報告知部１５、記憶部１６及び通信部１７の機能とそれぞれ実質的には同じであるため、詳細な説明を省略する。
【００５４】
次に、図１及び６を参照しながら、ユーザ認証システム１における基本的な動作について説明する。
【００５５】
まず、或るユーザを含む複数のユーザが、血圧計１０等の生体情報取得装置のそれぞれを使用することによって、或るユーザを含む複数のユーザについての血圧値等の生体情報のそれぞれが取得される（ステップＳ１）。
【００５６】
取得された血圧値等の生体情報のそれぞれに対して、測定日時の情報と、ユーザの使用した生体情報取得装置の装置識別番号の情報と、生体情報取得装置を使用したユーザのユーザ識別番号の情報とが付加されてそれらと関連付けられることにより、或るユーザについての或る測定日時における或る生体情報に関するデータにまとめられ、当該データが生体情報取得装置の記憶部に時系列に記憶される（ステップＳ２）。
【００５７】
或る生体情報取得装置がネットワーク２に接続されると、当該或る生体情報取得装置の記憶部に記憶されていた或る生体情報に関するデータが、一括して、サーバ５に送信される。サーバ５に送信された或る生体情報に関する新規のデータが、新生体情報として、サーバ５の記憶部８に一時的に記憶される。同様に、睡眠計４０等の他の生体情報取得装置についても、ネットワーク２に接続されると、当該他の生体情報が、サーバ５に送信されて、サーバ５の記憶部８に一時的に記憶される。
【００５８】
サーバ５の記憶部８に一時的に記憶された新規のデータには、或る生体情報取得装置を使用したユーザのユーザ識別番号の情報が含まれているので、或るユーザが、ユーザ登録情報のデータベースに登録されたいずれのユーザに該当するのかが特定される。制御部６によって、ユーザ登録情報のデータベースに基づいて、特定された或るユーザが、どのような他の生体情報取得装置を使用するのかが検索され、特定された或るユーザが使用する他の生体情報取得装置が特定される。
【００５９】
サーバ５のユーザ判定部７によって、一時的に記憶された新生体情報が、睡眠計４０等の他の生体情報取得装置によって取得された他の生体情報と個々に比較される（ステップＳ３）。そして、ユーザ判定部７によって、当該新生体情報と他の生体情報との間での論理的な矛盾の有無が判定される（ステップＳ４）。その結果、新生体情報と他の生体情報との間で論理的な矛盾が無いと判定されると、新生体情報が或るユーザについての或る生体情報の新データとしてサーバ５の記憶部８に記憶される。
【００６０】
時間的・空間（位置）的にみて、新生体情報と他の生体情報との取得が実質的に不可能であり、現実には起こりえないことにより、新生体情報と他の生体情報との間で論理的な矛盾が有るとユーザ判定部７で判定されると、制御部６によって、当該新生体情報が或るユーザ本人のものではないというフラグ（属性情報）が、新データでの該当データ箇所に付加される（ステップＳ５）。
【００６１】
或るユーザ本人のものではないというフラグの付加された新データは、或るユーザについての或る生体情報の新データとして、サーバ５の記憶部８に記憶される（ステップＳ６）。そして、或るユーザについての或る生体情報についての新データの登録処理が終了すると、或るユーザについての或る生体情報についての新データは、ネットワーク２に接続された情報処理端末の表示部に表示されて、或るユーザ等による閲覧が可能になる。
【００６２】
次に、図７及び８を参照しながら、或る生体情報取得装置として血圧計１０が用いられ、他の生体情報取得装置として睡眠計４０が用いられた場合を第１実施例として説明する。なお、第１実施例は、ユーザ認証システム１の動作を分かりやすく説明するための例示であって、第１実施例に示された具体的な数値等に限定されるものでは無いことは言うまでもない。
【００６３】
図７において、或るユーザを含む複数のユーザが血圧計１０を使用することによって、或るユーザを含む複数のユーザについての血圧値が取得される。
【００６４】
取得された血圧値の情報は、測定日時の情報と、ユーザの使用した血圧計１０の装置識別番号の情報と、或るユーザのユーザ識別番号の情報とが付加されてそれらと関連付けられて、或るユーザについての或る測定日時における血圧値に関する新規のデータＤ１にまとめられ、表１に例示する新規のデータＤ１が血圧計１０の記憶部１６に時系列に記憶される（ステップＳ１０）。
【００６５】
【表１】
2015108942.tif 000003
【００６６】
血圧計１０がネットワーク２に接続されると、血圧計１０の記憶部１６に記憶されていた血圧値に関する新規のデータＤ１が、一括して、サーバ５に送信される。サーバ５に送信された血圧値に関する新規のデータＤ１が、サーバ５の記憶部８に一時的に記憶される。
【００６７】
サーバ５の記憶部８に一時的に記憶された新規のデータＤ１には、血圧計１０を使用した或るユーザのユーザ識別番号の情報が含まれているので、或るユーザが、表２に例示するユーザ登録情報のデータベースに登録されたいずれのユーザに該当するのか検索されて、或るユーザについてのユーザ登録番号がＵ００３であることが特定される（ステップＳ１１）。以下、このようにして特定された或るユーザＵ００３を、特定ユーザＵ００３という。
【００６８】
【表２】
2015108942.tif 000004
【００６９】
制御部６によって、特定ユーザＵ００３が、どのような他の生体情報取得装置を使用しているのかが、表２に例示するユーザ登録情報のデータベースに基づいて検索される。例えば、表２のユーザ登録情報のデータベースによれば、特定ユーザＵ００３は、４つの生体情報取得装置を登録して利用している。検索の結果、特定ユーザＵ００３が使用している他の生体情報取得装置として、睡眠計４０が特定される。
【００７０】
血圧計１０と同様に、睡眠計４０についても、ネットワーク２に接続されると、表３に例示する睡眠状態（就寝した日時及び起床した日時）についてのデータＤ３が、サーバ５に送信されて、サーバ５の記憶部８に一時的に記憶される（すなわち、取得される）（ステップＳ１２）。
【００７１】
【表３】
2015108942.tif 000005
【００７２】
サーバ５のユーザ判定部７によって、血圧値に関する新規のデータＤ１と、睡眠状態（就寝した日時及び起床した日時）に関する他のデータＤ３とが個々に比較される。そして、ユーザ判定部７によって、血圧値に関する新規のデータＤ１と、睡眠状態（就寝した日時及び起床した日時）に関する他のデータＤ３との間での論理的な矛盾の有無が判定される（ステップＳ１３及びＳ１４）。例えば、ステップＳ１３において、血圧計１０が夜間測定機能を装備していないか否かが判断され、ステップＳ１４において、血圧計１０による測定日時が、特定ユーザＵ００３の睡眠時間の範囲内である否かが判断される。
【００７３】
血圧計１０が夜間測定機能を装備していないにもかかわらず、特定ユーザＵ００３が、睡眠時間である夜間に血圧測定を行われているか否かが判断される。例えば、２０１３年１月２９日の２０時の時間帯に着目すると、特定ユーザＵ００３が、２０時３３分に血圧測定を行っているにもかかわらず、２０時０１分に就寝している。夜間測定機能を有しない血圧計１０を用いて血圧測定を行うことは、実質的に不可能であり、現実には起こりえないことである。このように、時間的にみて、特定ユーザＵ００３についての血圧値に関する新規のデータＤ１の取得と、睡眠状態（就寝した日時及び起床した日時）に関する他のデータＤ３の取得とは、実質的に不可能であり、現実には起こりえないことであるので、両者の間には論理的な矛盾が存在する。したがって、血圧値に関する新規のデータＤ１と、睡眠状態（就寝した日時及び起床した日時）に関する他のデータＤ３との間で論理的な矛盾が有るため、ユーザ判定部７によって論理的な矛盾が有りと判定され、制御部６によって、血圧値に関する新規のデータＤ１が特定ユーザＵ００３本人のものではないというフラグが、血圧値に関する新規のデータＤ１での該当データ箇所に付加される（ステップＳ１５）。
【００７４】
制御部６によって、特定ユーザＵ００３本人のものではないというフラグの付加された新規のデータＤ１は、特定ユーザＵ００３についての血圧値に関する新規のデータＤ１として、サーバ５の記憶部８に記憶される。また、ステップＳ１３及びＳ１４のそれぞれにおいて、血圧値に関する新規のデータＤ１と、睡眠状態（就寝した日時及び起床した日時）に関する他のデータＤ３との間で論理的な矛盾が無いと判定されると、特定ユーザＵ００３についての血圧値に関する新規のデータＤ１がデータベースとしてサーバ５の記憶部８に記憶される。
【００７５】
以上の手順により、特定ユーザＵ００３についての血圧値に関する新規のデータＤ１の登録処理が終了すると、登録された新規のデータＤ１は、サーバ５の制御部６によってデータ処理されたあと、数値表やグラフの形態で、ネットワーク２に接続された情報処理端末の表示部に表示されて、特定ユーザＵ００３等への閲覧に供される。
【００７６】
登録された新規のデータＤ１は、例えば、図８に例示した態様で、情報処理端末の表示部に表示される。図８の表示例では、論理的な矛盾が有ると判定されたデータ箇所について、特定ユーザＵ００３本人に問い合わせするような表示を行っている。表示部において、[除外する]というチェック箇所が選択されると、当該データ箇所は、表示部から消去されるだけでなく、平均値の算出や測定数からも除外される。但し、誤操作による[除外する]というチェック箇所の選択を取り消し可能にするため、表示部からの消去、平均値の算出及び測定数のカウントのみを除外して、データベースとしての記憶を保持するようにしてもよい。また、特定ユーザＵ００３本人に問い合わせすることなく、サーバ５の制御部６によって、表示部からの消去、平均値の算出及び測定数のカウントの除外を自動的に行うようにしてもよい。
【００７７】
したがって、上記第１実施例のユーザ認証システム１においては、血圧値に関する新規のデータＤ６と、睡眠状態（就寝した日時及び起床した日時）に関する他のデータＤ３との間での論理的な矛盾の有無をみることにより、より高精度にユーザ認識を行うことができる。
【００７８】
次に、図９及び１０を参照しながら、或る生体情報取得装置として血圧計１０が用いられ、他の生体情報取得装置として活動量計３０が用いられた場合を第２実施例として説明する。なお、第２実施例も、ユーザ認証システム１の動作を分かりやすく説明するための例示であって、第２実施例に示された具体的な数値等に限定されるものでは無いことは言うまでもない。
【００７９】
図９において、或るユーザを含む複数のユーザが血圧計１０を使用することによって、或るユーザを含む複数のユーザについての血圧値が取得される。
【００８０】
取得された血圧値の情報は、測定日時の情報と、ユーザの使用した血圧計１０の装置識別番号の情報と、或るユーザのユーザ識別番号の情報とが付加されてそれらと関連付けられて、或るユーザについての或る測定日時における血圧値に関する新規のデータＤ４にまとめられ、表４に例示する新規のデータＤ４が血圧計１０の記憶部１６に時系列に記憶される（ステップＳ２０）。
【００８１】
【表４】
2015108942.tif 000006
【００８２】
血圧計１０がネットワーク２に接続されると、血圧計１０の記憶部１６に記憶されていた血圧値に関する新規のデータＤ４が、一括して、サーバ５に送信される。サーバ５に送信された血圧値に関する新規のデータＤ４が、サーバ５の記憶部８に一時的に記憶される。
【００８３】
サーバ５の記憶部８に一時的に記憶された新規のデータＤ４には、血圧計１０を使用した或るユーザのユーザ識別番号の情報が含まれているので、或るユーザが、表５に例示するユーザ登録情報のデータベースに登録されたいずれのユーザに該当するのか検索されて、或るユーザについてのユーザ登録番号がＵ００３であることが特定される（ステップＳ２１）。
【００８４】
【表５】
2015108942.tif 000007
【００８５】
制御部６によって、特定ユーザＵ００３が、どのような他の生体情報取得装置を使用しているのかが、表５に例示するユーザ登録情報のデータベースに基づいて検索される。例えば、表５のユーザ登録情報のデータベースによれば、特定ユーザＵ００３は、４つの生体情報取得装置を登録して利用している。検索の結果、特定ユーザＵ００３が使用している他の生体情報取得装置として、活動量計３０が特定される。
【００８６】
血圧計１０と同様に、活動量計３０についても、ネットワーク２に接続されると、表６に例示する活動量（歩数）についてのデータＤ５が、サーバ５に送信されて、サーバ５の記憶部８に一時的に記憶される（すなわち、取得される）（ステップＳ２２）。
【００８７】
【表６】
2015108942.tif 000008
【００８８】
図９において、サーバ５のユーザ判定部７によって、血圧値に関する新規のデータＤ４と、活動量（歩数）に関する他のデータＤ５とが個々に比較される。そして、ユーザ判定部７によって、血圧値に関する新規のデータＤ４と、活動量（歩数）に関する他のデータＤ５との間での論理的な矛盾の有無が判定される（ステップＳ２３）。例えば、ステップＳ２３において、血圧計１０で測定される所定時刻前に所定以上の活動情報があるのか否かが判断される。例えば、２０１３年１月２９日の２０時の時間帯に着目すると、特定ユーザＵ００３が、血圧計１０で血圧測定を行っているにもかかわらず、６５６８歩／時間で歩行している。これは、１．８歩／秒の歩行速度である。このような速度で歩行している間に、血圧測定を行うことは、現実的には困難であり、万が一、血圧測定が行われていたとしても、安静時の血圧測定ではないため、血圧値の信頼性も低い。したがって、血圧値に関する新規のデータＤ４と、活動量（歩数）に関する他のデータＤ５との間で論理的な矛盾が有るため、ユーザ判定部７によって論理的な矛盾が有りと判定される。そして、制御部６によって、血圧値に関する新規のデータＤ４が安静状態で測定されたものではないというフラグが、血圧値に関する新規のデータＤ４での該当データ箇所に付加される（ステップＳ２４）。
【００８９】
制御部６によって、安静状態で測定されたものではないというフラグの付加された新規のデータＤ４は、特定ユーザＵ００３についての血圧値に関する新規のデータＤ４として、サーバ５の記憶部８に記憶される。また、ステップＳ２３において、血圧値に関する新規のデータＤ４と、活動量（歩数）に関する他のデータＤ５との間で論理的な矛盾が無いと判定されると、特定ユーザＵ００３についての血圧値に関する新規のデータＤ４がデータベースとしてサーバ５の記憶部８に記憶される。
【００９０】
以上の手順により、特定ユーザＵ００３についての血圧値に関する新規のデータＤ４の登録処理が終了すると、登録された新規のデータＤ４は、サーバ５の制御部６によってデータ処理されたあと、数値表やグラフの形態で、ネットワーク２に接続された情報処理端末の表示部に表示されて、特定ユーザＵ００３等への閲覧に供される。
【００９１】
登録された新規のデータＤ４は、例えば、図１０に例示した態様で、情報処理端末の表示部に表示される。図１０の表示例では、論理的な矛盾が有ると判定されたデータ箇所について、特定ユーザＵ００３本人に確認するようなメッセージや、非安静状態で測定され可能性があるという趣旨のメッセージ等の表示を行っている。表示部において、[除外する]というチェック箇所が選択されると、当該データ箇所は、表示部から消去されるだけでなく、平均値の算出や測定数からも除外される。但し、誤操作による[除外する]というチェック箇所の選択を取り消し可能にするため、表示部からの消去、平均値の算出及び測定数のカウントのみを除外して、データベースとしての記憶を保持するようにしてもよい。また、特定ユーザＵ００３本人に問い合わせすることなく、サーバ５の制御部６によって、表示部からの消去、平均値の算出及び測定数のカウントの除外を自動的に行うようにしてもよい。
【００９２】
したがって、上記第２実施例のユーザ認証システム１においても、血圧値に関する新規のデータＤ６と、活動量（歩数）に関する他のデータＤ５との間での論理的な矛盾の有無をみることにより、より高精度にユーザ認識を行うことができる。
【００９３】
次に、他の実施形態を図１１及び１２を参照しながら説明するが、上記実施形態と重複する部分については、その説明を省略する。
【００９４】
図１１は、他の実施形態に係るユーザ認証システム１がネットワーク２上で使用されたときの構成例を示している。当該ユーザ認証システム１は、生体情報取得装置として働く血圧計１０、体組成計２０、活動量計３０及び睡眠計４０と、位置情報取得装置６０と、サーバ５と、ネットワーク２と、を含んでいる。血圧計１０等の生体情報取得装置と位置情報取得装置６０とが、ネットワーク２を介して、それぞれ、サーバ５に対して、有線又は無線によって互いに通信可能に構成されている。
【００９５】
位置情報取得装置６０は、位置情報取得部、制御部、電源、操作部、計時部、記憶部及び通信部を備えている。位置情報取得装置６０は、例えば、ＧＰＳ受信部、制御部、電源、操作部、記憶部及び通信部を有するＧＰＳ（global positioning system：全地球測位システム）装置である。ＧＰＳ装置においては、ＧＰＳ受信部が複数のＧＰＳ衛星からの電波を受信して、制御部は、ＧＰＳ測位により現在の位置情報を算出し、現在位置情報（例えば、緯度及び経度、或るユーザの自宅や仕事場等の予め登録された場所）を特定する。なお、ＧＰＳ測位によって取得された現在位置情報には、日時の情報も含まれているので、ＧＰＳ装置では計時部を省略することができる。
【００９６】
また、ＧＰＳを使用しない位置情報取得装置６０としては、携帯電話機やＰＨＳ電話機やスマートフォンのような、通信網の基地局と交信する移動体通信端末も利用可能である。移動体通信端末は、基地局位置情報取得部を兼ねる通信部、制御部、電源、操作部、計時部及び記憶部を備え、基地局位置情報取得部（通信部）が基地局などの位置情報提供手段から端末の位置情報を取得する。移動体通信端末は、基地局についての位置情報を取得するため、ＧＰＳを使用したものよりも位置精度が良くないものの、ＧＰＳ衛星の電波が届かない建物の中や高層ビルの谷間や地下街等であっても、移動体通信端末のおおよその位置情報を得ることができる。したがって、或るユーザについて位置情報を取得する位置情報取得装置６０として、上記のような移動体通信端末も利用可能である。なお、移動体通信端末がＧＰＳ受信部を備える場合には、ＧＰＳによる位置情報及び／又は基地局による位置情報を用いることができる。
【００９７】
次に、図１２を参照しながら、或る生体情報取得装置として血圧計１０が用いられ、位置情報取得装置６０としてＧＰＳ装置が用いられた場合を第３実施例として説明する。なお、第３実施例は、ユーザ認証システム１の動作を分かりやすく説明するための例示であって、第３実施例に示された具体的な数値等に限定されるものでは無いことは言うまでもない。
【００９８】
図１２において、或るユーザを含む複数のユーザが血圧計１０を使用することによって、或るユーザを含む複数のユーザについての血圧値が取得される。
【００９９】
取得された血圧値の情報は、測定日時の情報と、ユーザの使用した血圧計１０の装置識別番号の情報と、或るユーザのユーザ識別番号の情報とが付加されてそれらと関連付けられて、或るユーザについての或る測定日時における血圧値に関する新規のデータＤ６にまとめられ、表７に例示する新規のデータＤ６が血圧計１０の記憶部１６に時系列に記憶される（ステップＳ３０）。
【０１００】
【表７】
2015108942.tif 000009
【０１０１】
血圧計１０がネットワーク２に接続されると、血圧計１０の記憶部１６に記憶されていた血圧値に関する新規のデータＤ６が、一括して、サーバ５に送信される。サーバ５に送信された血圧値に関する新規のデータＤ６が、サーバ５の記憶部８に一時的に記憶される。
【０１０２】
サーバ５の記憶部８に一時的に記憶された新規のデータＤ６には、血圧計１０を使用した或るユーザのユーザ識別番号の情報が含まれているので、或るユーザが、表８に例示するユーザ登録情報のデータベースに登録されたいずれのユーザに該当するのか検索されて、或るユーザについてのユーザ登録番号がＵ００３であることが特定される（ステップＳ３１）。
【０１０３】
【表８】
2015108942.tif 000010
【０１０４】
制御部６によって、特定ユーザＵ００３が、どの位置情報取得装置６０を使用しているのかが、表８に例示するユーザ登録情報のデータベースに基づいて検索される。例えば、表８のユーザ登録情報のデータベースによれば、特定ユーザＵ００３は、４つの生体情報取得装置を登録して利用している。検索の結果、特定ユーザＵ００３が使用している位置情報取得装置６０として、ＧＰＳ装置が特定される。
【０１０５】
血圧計１０と同様に、ＧＰＳ装置６０についても、ネットワーク２に接続されると、表９に例示する位置情報についてのデータＤ７が、サーバ５に送信されて、サーバ５の記憶部８に一時的に記憶される（すなわち、取得される）（ステップＳ３２）。
【０１０６】
【表９】
2015108942.tif 000011
【０１０７】
図１２において、サーバ５のユーザ判定部７によって、血圧値に関する新規のデータＤ６と、位置情報に関する他のデータＤ７とが個々に比較される。そして、ユーザ判定部７によって、血圧値に関する新規のデータＤ６と、位置情報に関する他のデータＤ７との間での論理的な矛盾の有無が判定される（ステップＳ３３及びＳ３４）。すなわち、ステップＳ３３において、血圧計１０として手首式のものの使用の有無が判断され、ステップＳ３４において、血圧計１０による測定日時において、特定ユーザＵ００３の位置情報が、特定ユーザＵ００３の自宅以外であるか否かが判断される。
【０１０８】
例えば、２０１３年１月２９日の２０時の時間帯に着目すると、特定ユーザＵ００３が、２０時３３分に血圧測定を行っているにもかかわらず、２０時０１分に飲食店で食事をしている。手首式の血圧計１０ではなくて、腕を通すタイプのような少し大型の血圧計１０を用いて飲食店で血圧測定を行うことは、実質的に不可能であり、現実には起こりえないことである。空間（位置）的にみて、特定ユーザＵ００３についての血圧値に関する新規のデータＤ６の取得と、位置情報に関する他のデータＤ７の取得とは、実質的に不可能であり、現実には起こりえないことであるので、両者の間には論理的な矛盾が存在する。したがって、血圧値に関する新規のデータＤ６と、位置情報に関する他のデータＤ７との間で論理的な矛盾が有るため、ユーザ判定部７によって論理的な矛盾が有りと判定され、制御部６によって、血圧値に関する新規のデータＤ６が特定ユーザＵ００３本人のものではないというフラグが、血圧値に関する新規のデータＤ６での該当データ箇所に付加される（ステップＳ３５）。
【０１０９】
制御部６によって、特定ユーザＵ００３本人のものではないというフラグの付加された新規のデータＤ６は、特定ユーザＵ００３についての血圧値に関する新規のデータＤ６として、サーバ５の記憶部８に記憶される。また、ステップＳ３３及びＳ３４のそれぞれにおいて、血圧値に関する新規のデータＤ６と、位置情報に関する他のデータＤ７との間で論理的な矛盾が無いと判定されると、特定ユーザＵ００３についての血圧値に関する新規のデータＤ６がデータベースとしてサーバ５の記憶部８に記憶される。
【０１１０】
以上の手順により、特定ユーザＵ００３についての血圧値に関する新規のデータＤ６の登録処理が終了すると、登録された新規のデータＤ６は、サーバ５の制御部６によってデータ処理されたあと、数値表やグラフの形態で、ネットワーク２に接続された情報処理端末の表示部に表示されて、特定ユーザＵ００３等への閲覧に供される。
【０１１１】
したがって、上記第３実施例のユーザ認証システム１においても、血圧値に関する新規のデータＤ６と、位置情報に関する他のデータＤ７との間での論理的な矛盾の有無をみることにより、より高精度にユーザ認識を行うことができる。
【０１１２】
なお、ユーザ認証システム１における生体情報取得装置としては、上記のものに加えて、ユーザの体重のみを測定する体重計、ユーザの体温を測定する体温計、ユーザの心臓の筋肉の動きに伴う電流を計測する心電計、あるいはユーザの血糖値を計測する血糖計も適用可能である。さらに、ユーザ認証システム１がサーバ５を備えることなく、サーバ５と同様の機能を備える生体情報取得装置によってユーザ認証システム１を構成するようにしてもよい。
【０１１３】
上記ユーザ認証システム１では、互いのデータ取得の行われた時間が接近又は重複するような比較的短い時間間隔（例えば、分単位や時間単位）に基づいて、論理的な矛盾の有無をみているが、データベースに蓄積された特定ユーザＵ００３についての過去の比較的長い時間間隔（例えば、朝・昼・晩のような一日単位、平日や週末のような週単位、上旬・中旬・下旬のような月単位、春・夏・秋・冬のような季節単位）での傾向に基づいて、論理的な矛盾の有無をみるようにしてもよい。
【０１１４】
上記ユーザ認証システム１では、他の生体情報（睡眠状態や活動量（歩数））や位置情報が正しいという仮定の下で、論理的な矛盾の有無をみているが、当該情報の正誤を特定ユーザＵ００３に確認させてユーザＵ００３の判断を求めるようにしてもよい。また、複数の他の生体情報や位置情報を組み合わせることによって、論理的な矛盾の有無をみるようにしてもよい。
【符号の説明】
【０１１５】
１  ユーザ認証システム
２  ネットワーク
５  サーバ
６  制御部
７  ユーザ判定部
１０  血圧計計
２０  体組成計
３０  活動量計
４０  睡眠計
６０  位置情報取得装置（ＧＰＳ装置）
【図１】
2015108942.tif 000012
【図２】
2015108942.tif 000013
【図３】
2015108942.tif 000014
【図４】
2015108942.tif 000015
【図５】
2015108942.tif 000016
【図６】
2015108942.tif 000017
【図７】
2015108942.tif 000018
【図８】
2015108942.tif 000019
【図９】
2015108942.tif 000020
【図１０】
2015108942.tif 000021
【図１１】
2015108942.tif 000022
【図１２】
2015108942.tif 000023